(57)【要約】【課題】記録媒体を押さえ具によって押さえた状態でも記録媒体を裁断できるようにする。【解決手段】印刷装置１が、カッター２７が移動するカッター溝５２を有し、記録媒体９の縁９ｅが搬送方向にカッター溝５２を跨ぐようにカッター溝５２を覆った記録媒体９を支持するプラテン５１と、プラテン５１に装着される押さえ具６０Ｒと、を備える。押さえ具６０Ｒが、間隔を置いてカッター溝５２の搬送方向における上流側と下流側に配され、記録媒体９をプラテン５１に押さえる一対のクランプ部６１Ｒ，６２Ｒと、クランプ部６２Ｒ，６２Ｒをプラテンに固定する固定部材７０Ｒと、を有する。固定部材７０Ｒが、弾性変形した状態で、記録媒体９の縁９ｅの外側においてカッター溝５２に嵌合する嵌合部７３Ｒと、嵌合部７３Ｒとクランプ部６１Ｒ，６２Ｒとを連結する一対の連結部７１Ｒ，７２Ｒと、を有する。【選択図】図５
2018130880.tif 000002
【特許請求の範囲】
【請求項１】
カッターが移動するカッター溝を有し、記録媒体の縁が前記記録媒体の搬送方向に前記カッター溝を跨ぐように前記カッター溝を覆った前記記録媒体を支持するプラテンと、
前記プラテンに装着される押さえ具と、を備える印刷装置であって、
前記押さえ具が、
間隔を置いて前記カッター溝の前記搬送方向における上流側と下流側に配され、前記記録媒体を前記プラテンに押さえる一対のクランプ部と、
前記クランプ部を前記プラテンに固定する固定部材と、を有し、
前記固定部材が、
弾性変形した状態で、前記記録媒体の縁の外側において前記カッター溝に嵌合する嵌合部と、
前記嵌合部と前記クランプ部とを連結する一対の連結部と、を有する
印刷装置。
【請求項２】
前記嵌合部が凹状に形成されている
請求項１に記載の印刷装置。
【請求項３】
前記押さえ具が、
前記クランプ部の前記搬送方向端部に形成され、前記クランプ部に対して反り上がった状態に形成された反り部を更に有する
請求項１又は２に記載の印刷装置。
【請求項４】
前記一対の連結部が前記嵌合部から前記カッター溝の前記搬送方向上流側と下流側に延出し、前記嵌合部が前記カッター溝に嵌合することによって、前記連結部と前記嵌合部の成す入角部が拡開するよう弾性変形している
請求項１から３の何れか一項に記載の印刷装置。
【請求項５】
プラテンに形成されたカッター溝を記録媒体の縁が前記記録媒体の搬送方向に跨ぐように前記カッター溝を覆った前記記録媒体を支持する前記プラテンに対して装着される押さえ具であって、
間隔を置いて前記カッター溝の前記搬送方向上流側と下流側に配され、前記記録媒体を前記プラテンに押さえる一対のクランプ部と、
前記クランプ部を前記プラテンに固定する固定部材と、を有し、
前記固定部材が、
弾性変形した状態で、前記記録媒体の縁の外側において前記カッター溝に嵌合する嵌合部と、
前記嵌合部と前記クランプ部とを連結する一対の連結部と、を有する
押さえ具。
【発明の詳細な説明】
【技術分野】
【０００１】
本発明は、記録媒体を押さえる押さえ具及びそれを備える印刷装置に関する。
【背景技術】
【０００２】
特許文献１には、インクジェットプリンタによって印刷される被印刷シートをその上から押さえる技術が開示されている。具体的には、被印刷シートの幅方向端部の上から板バネをバキュームコンベアに押し付けて、被印刷シートの幅方向端部を板バネとバキュームコンベアとの間に挟む。
【先行技術文献】
【特許文献】
【０００３】
【特許文献１】特開２００５−３５６８１号公報
【発明の概要】
【発明が解決しようとする課題】
【０００４】
ところで、インクジェットプリンタにセッティングされた被印刷シートをカッターによって裁断する場合、カッターを被印刷シートの幅方向に移動させる。ここで、特許文献１のような技術を利用して裁断を行う場合、カッターが板バネに当たってしまい、カッターの動きが板バネによって干渉される。そのため、板バネとバキュームコンベアとの間に被印刷用シートを挟んだ状態では、被印刷用シートを裁断することができない。
そこで、本発明は上記事情に鑑みてなされたものであり、本発明が解決しようとする課題は、被印刷シート等の記録媒体を押さえ具によって押さえた状態でも記録媒体を裁断できるようにすることである。
【課題を解決するための手段】
【０００５】
上記目的を達成するための主たる発明は、カッターが移動するカッター溝を有し、記録媒体の縁が前記記録媒体の搬送方向に前記カッター溝を跨ぐように前記カッター溝を覆った前記記録媒体を支持するプラテンと、前記プラテンに装着される押さえ具と、を備える印刷装置であって、前記押さえ具が、間隔を置いて前記カッター溝の前記搬送方向における上流側と下流側に配され、前記記録媒体を前記プラテンに押さえる一対のクランプ部と、前記クランプ部を前記プラテンに固定する固定部材と、を有し、前記固定部材が、弾性変形した状態で、前記記録媒体の縁の外側において前記カッター溝に嵌合する嵌合部と、前記嵌合部と前記クランプ部とを連結する一対の連結部と、を有する印刷装置である。
【０００６】
本発明の他の特徴については、後述する明細書及び図面の記載により明らかにする。
【発明の効果】
【０００７】
本発明によれば、押さえ具によって押さえられた状態の記録媒体を裁断することができる。
【図面の簡単な説明】
【０００８】
【図１】図１は、プリンタの斜視図である。
【図２】図２は、プリンタの筐体の内部の正面図である。
【図３】図３は、プリンタの筐体の内部の側面図である。
【図４】図４は、プラテン及び右の押さえ具を示した斜視図である。
【図５】図５は、右の押さえ具によって記録媒体をプラテンに押し付けた状態の斜視図である。
【図６】図６は、図３に示す領域VIの拡大図である。
【図７】図７は、変形例の右の押さえ具によって記録媒体をプラテンに押し付けた状態の斜視図である。
【発明を実施するための形態】
【０００９】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１０】
〔１．印刷装置の構成〕
図１は印刷装置１の斜視図であり、図２は印刷装置１の内部の正面図であり、図３は印刷装置１の内部の側面図である。以下の説明では、印刷装置１によって印刷される記録媒体９が搬送される方向を搬送方向といい、搬送方向の上流側を後方といい、搬送方向の下流側を前方という場合がある。また、搬送方向に対して垂直な方向を主走査方向といい、主走査方向を左右方向という場合がある。また、搬送方向の下流側から上流側に向かって見て、左右の向きを定める。
【００１１】
図１に示すように、印刷装置１は、印刷機構部２と、筐体１０と、プラテン５１と、裁断機構２５と、プラテン５１に対して着脱可能な左右一対の押さえ具６０Ｒ，６０Ｌとを有する。ここで、図１では、押さえ具６０Ｒ，６０Ｌがプラテン５１から外れた状態が示されており、図２及び図３では、押さえ具６０Ｒ，６０Ｌがプラテン５１に取り付けられた状態が示されている。
【００１２】
筐体１０の前面及び後面には開口が形成され、それら開口がそれぞれカバーによって開閉される。図１では、筐体１０の前面の開口を開閉するカバーが外された状態が図示されている。
【００１３】
プラテン５１は、筐体１０内に取り付けられている。プラテン５１の上面は、前後左右に広がった平面状に形成されている。プラテン５１の上面には、カッター溝５２が形成されている。カッター溝５２は主走査方向に延在している。
記録媒体９は、プラテン５１に支持される印刷用の媒体である。記録媒体９は、たとえば、樹脂製シート、金属シート又は紙製シートである。
記録媒体９は、その幅方向が主走査方向となるようにプラテン５１上に支持される。このとき、記録媒体９は、その幅方向両側の縁がカッター溝５２を搬送方向に跨ぐようにカッター溝５２を覆っている。
【００１４】
図２及び図３に示すように、印刷機構部２はインクジェットプリンタ式の印刷を行うための各種構成を備える。具体的には、印刷機構部２は、ガイドレール１１、キャリッジ２０、印刷ヘッド２１、キャリッジ駆動機構１２、駆動ローラ４１、搬送モーター４２及びピンチローラ４６を有する。
【００１５】
ガイドレール１１は、プラテン５１の上方において、主走査方向に延在するよう筐体１０に取り付けられている。ガイドレール１１によってキャリッジ２０がプラテン５１の上方且つ駆動ローラ４１の前側において主走査方向に案内される。
キャリッジ駆動機構１２は、ガイドレール１１に沿って、キャリッジ２０を主走査方向に往復移動させる。
【００１６】
キャリッジ２０には、プラテン５１及び記録媒体９に対して上下に対向する複数の印刷ヘッド２１が搭載されている。印刷ヘッド２１はインクジェットヘッドである。つまり、印刷ヘッド２１の下面には複数のノズルが形成されており、印刷ヘッド２１がノズルから下方の記録媒体９に向けてインクを吐出し、これにより記録媒体９に画像が形成される。
【００１７】
駆動ローラ４１はカッター溝５２よりも搬送方向上流側に配置されている。駆動ローラ４１は一部がプラテン５１に埋設され、駆動ローラ４１の上側の周面がプラテン５１の上面から露出している。
【００１８】
駆動ローラ４１の上方には、昇降可能なピンチローラ４６が配設されている。ピンチローラ４６が下降した状態では、記録媒体９はピンチローラ４６と駆動ローラ４１との間に挟持される。その状態において駆動ローラ４１が搬送モーター４２によって回転駆動されると、記録媒体９が搬送方向に搬送される。すなわち、駆動ローラ４１、搬送モーター４２及びピンチローラ４６からなる機構は、記録媒体９を搬送する搬送機構である。
【００１９】
印刷機構部２による印刷動作は、搬送モーター４２による記録媒体９の所定距離の搬送と、キャリッジ２０の移動及び印刷ヘッド２１のインク吐出とを交互に繰り返すことにより実行される。具体的には、駆動ローラ４１が搬送モーター４２によって間欠的に回転駆動されることによって、記録媒体９が前方へ間欠的に所定距離搬送される。記録媒体９の各回の一時停止中に、キャリッジ２０がサーボモーター１６により主走査方向に移動するとともに、キャリッジ２０の移動中に印刷ヘッド２１がインクを吐出する。
【００２０】
裁断機構２５は、記録媒体９を裁断するための機構である。裁断機構２５は駆動機２６及びカッター２７を有する。駆動機２６はキャリッジ２０に搭載されている。カッター２７は、駆動機２６に連結されている。駆動機２６は例えばソレノイド又はモーターであり、カッター２７をプラテン５１に対して昇降させるように駆動する。上述のカッター溝５２は、カッター２７の下方に形成されており、下降したカッター２７は、カッター溝５２に挿入される。
【００２１】
例えば裁断機構２５は、印刷動作後に記録媒体９を裁断する。具体的に、搬送モーター４２による記録媒体９の搬送が停止した状態で、駆動機２６は、カッター２７を下降させる。そして、サーボモーター１６は、キャリッジ２０を主走査方向に移動させる。キャリッジ２０の移動に伴い、カッター２７は、カッター溝５２に沿って主走査方向に移動して、記録媒体９を裁断する。
【００２２】
〔２．押さえ具〕
ピンチローラ４６は印刷ヘッド２１よりも搬送方向の上流側に配置されているので、ピンチローラ４６よりも下流側では記録媒体９がプラテン５１から浮き上がってしまう虞がある。また、記録媒体９の幅方向の側部がピンチローラ４６から主走査方向にずれて配置された場合にも、記録媒体９がプラテン５１から浮き上がってしまう虞がある。以上のようなことを防止するべく、押さえ具６０Ｒ，６０Ｌは記録媒体９の幅方向両側の側部をプラテン５１に押さえる。
【００２３】
図４及び図５はプラテン５１及び右の押さえ具６０Ｒの斜視図であり、図６は図３に示す領域VIの拡大図である。図４では、押さえ具６０Ｒがプラテン５１から外れた状態が示されており、図５では、押さえ具６０Ｒがプラテン５１に装着された状態が示されている。図６では、プラテン５１に装着された状態の押さえ具６０Ｒを実線により示し、プラテン５１から外れた状態の押さえ具６０Ｒを二点鎖線により示す。なお、左の押さえ具６０Ｌの形状は、右の押さえ具６０Ｒの形状に対して、主走査方向に直交する面に関して鏡像の関係にあるため詳細な説明を省略する。
【００２４】
図４及び図５に示すように、押さえ具６０Ｒは、記録媒体９をプラテン５１に押さえるための部材であり、金属薄板（例えば、ステンレス鋼薄板）をプレス加工することによって成形された板バネにより構成されている。押さえ具６０Ｒは、クランプ部６１Ｒ、クランプ部６２Ｒ、反り部６６Ｒ〜６９Ｒ及び固定部材７０Ｒを有する。本実施形態において、押さえ具６０Ｒは、クランプ部６１Ｒ、クランプ部６２Ｒ、反り部６６Ｒ〜６９Ｒ及び固定部材７０Ｒが一体成形されてなる一体成形品である。
【００２５】
クランプ部６１Ｒ，６２Ｒは薄板状に形成されている。クランプ部６１Ｒはカッター溝５２の搬送方向下流側において記録媒体９の右側部をプラテン５１に押さえ、クランプ部６２Ｒはカッター溝５２の搬送方向上流側において記録媒体９の右側部をプラテン５１に押さえる。クランプ部６１Ｒ，６２Ｒは間隔を置いて配されており、クランプ部６１Ｒとクランプ部６２Ｒの間には間隙６３Ｒが形成されている。そのため、カッター溝５２がクランプ部６１Ｒ，６２Ｒの間の間隙６３Ｒを主走査方向に横切るように、クランプ部６１Ｒ，６２Ｒがカッター溝５２の両側に配されている。また、記録媒体９を押さえた状態において、記録媒体９がクランプ部６１Ｒ，６２Ｒの間の間隙６３Ｒにおいて露出し、記録媒体９の右側縁９ｅがクランプ部６１Ｒ，６２Ｒの間の間隙６３Ｒを搬送方向に横切るように、クランプ部６１Ｒ，６２Ｒが配されている。
【００２６】
クランプ部６１Ｒには貫通孔６４Ｒ，６５Ｒが形成されている。貫通孔６４Ｒ，６５Ｒを通じて記録媒体９やその右側縁９ｅを視認することにより、記録媒体９に対する押さえ具６０Ｒの左右方向の相対的な位置を調整することができる。なお、クランプ部６１Ｒと同様に、クランプ部６２Ｒにも貫通孔が形成されていてもよい。
【００２７】
クランプ部６１Ｒ，６２Ｒは、固定部材７０Ｒによってプラテン５１に固定される。
固定部材７０Ｒは、連結部７１Ｒ，７２Ｒと、カッター溝５２に嵌合するとともに上方に向けて開口する嵌合部７３Ｒとを有する。
【００２８】
連結部７１Ｒは嵌合部７３Ｒとクランプ部６１Ｒを連結する。連結部７１Ｒはクランプ部６１Ｒと面一となるような薄板状に形成されている。薄板状の部位のうち、嵌合部７３Ｒの下流側の部位が連結部７１Ｒであり、間隙６３Ｒの下流側の部位がクランプ部６１Ｒである。連結部７１Ｒは、クランプ部６１Ｒから記録媒体９の右側縁９ｅの外方に延出するとともに、嵌合部７３Ｒの開口の下流側の縁部から搬送方向の下流側へ延出する（図５参照）。
【００２９】
連結部７１Ｒが上述の態様のように嵌合部７３Ｒとクランプ部６１Ｒを連結するのと同様にして、上流側の連結部７２Ｒが嵌合部７３Ｒとクランプ部６２Ｒを連結するので、上流側の連結部７２Ｒ及びクランプ部６２Ｒについての詳細な説明を省略する。
【００３０】
嵌合部７３Ｒは、弾性的に圧縮された状態で、カッター溝５２に嵌合する部分である（図５参照）。嵌合部７３Ｒは、凹形状に形成されている。嵌合部７３Ｒをカッター溝５２に嵌合する位置は、記録媒体９の右側縁９ｅの外方である。嵌合部７３Ｒは、Ｖ字型、半円弧型、門形型の凹形状に形成されていてもよい。
なお、嵌合部７３Ｒが弓型（Ｕ字型又は半長円弧型）に形成されている場合には、嵌合部７３Ｒがカッター溝５２に沿って滑らかに嵌まりやすい。
【００３１】
嵌合部７３Ｒをカッター溝５２から抜脱することにより、押さえ具６０Ｒはプラテン５１から外れる。
【００３２】
図６中の二点鎖線で示すように、カッター溝５２から外れた嵌合部７３Ｒに外力が作用していない自然状態では、嵌合部７３Ｒの開口の幅Ｗ１は、カッター溝５２の開口の幅Ｗ２よりも広い（図４も参照）。そのため、図６中の実線で示すように、嵌合部７３Ｒがカッター溝５２に嵌合した状態では、嵌合部７３Ｒの開口の幅Ｗ１が狭まるように嵌合部７３Ｒが弾性的に圧縮されている（図５も参照）。これにより、嵌合部７３Ｒがカッター溝５２から外れ難い。なお、嵌合部７３Ｒがカッター溝５２に嵌合した状態での嵌合部７３Ｒの開口の幅Ｗ１は、カッター２７の刃先が通過可能な幅である。
【００３３】
図４及び図６に示すように、押さえ具６０Ｒがプラテン５１から外れた状態では、連結部７１Ｒとクランプ部６１Ｒとによって構成される１枚の薄板状の部位と、連結部７２Ｒとクランプ部６２Ｒとによって構成される１枚の薄板状の部位とが挟む入角（プラテン側の角度）は、１８０度未満である。そして、嵌合部７３Ｒは、連結部７１Ｒと連結部７２Ｒとの挟む出角側に向かって開口した状態にある。
【００３４】
一方、図５及び図６に示すように、嵌合部７３Ｒがカッター溝５２に嵌合して押さえ具６０Ｒがプラテン５１に取り付けられた状態では、連結部７１Ｒとクランプ部６１Ｒとによって構成される１枚の薄板状の部位や、連結部７２Ｒとクランプ部６２Ｒとによって構成される１枚の薄板状の部位が、プラテン５１の面上に位置することになるため、嵌合部７３Ｒの開口が狭まるように嵌合部７３Ｒが弾性変形する。つまり、嵌合部７３Ｒがカッター溝５２に嵌合して押さえ具６０Ｒがプラテン５１に取り付けられた状態では、連結部７１Ｒとクランプ部６１Ｒとによって構成される１枚の薄板状の部位と、連結部７２Ｒとクランプ部６２Ｒとによって構成される１枚の薄板状の部位とが挟むプラテン側の角度は１８０度に拡開される。それゆえ、連結部７１Ｒ，７２Ｒ及びクランプ部６１Ｒ，６２Ｒがプラテン５１から反力を受けて、上述のように嵌合部７３Ｒが弾性変形している。従って、嵌合部７３Ｒの弾性力は、連結部７１Ｒ，７２Ｒをプラテン５１に押し付ける力として連結部７１Ｒ，７２Ｒに作用するとともに、クランプ部６１Ｒ，６２Ｒを記録媒体９及びプラテン５１に押し付ける力としてクランプ部６１Ｒ，６２Ｒに作用する。
【００３５】
また、嵌合部７３Ｒがカッター溝５２に嵌合した状態では、連結部７１Ｒと嵌合部７３Ｒの成す入角部７４Ｒが拡開するように弾性変形している。入角部７４Ｒの弾性変形によって、連結部７１Ｒがプラテン５１に押し付けられるとともに、クランプ部６１Ｒが記録媒体９をプラテン５１に押し付けている。同様に、嵌合部７３Ｒがカッター溝５２に嵌合することによって、連結部７２Ｒと嵌合部７３Ｒの成す入角部７５Ｒが拡開するように弾性変形している。なお、嵌合部７３Ｒ及び入角部７４Ｒ，７５Ｒの弾性力は、駆動ローラ４１及びピンチローラ４６によって搬送される記録媒体９がクランプ部６１Ｒ，６２Ｒ及びプラテン５１に対して摺動するように設計されている。
【００３６】
また、図３に示すように、嵌合部７３Ｒがカッター溝５２に嵌合した状態において、押さえ具６０Ｒの前後長、つまりクランプ部６１Ｒの下流側の端からクランプ部６２Ｒの上流側の端までの長さは、印刷ヘッド２１の前後長及びキャリッジ２０の前後長よりも長い（図３参照）。そして、クランプ部６１Ｒの下流側の端は印刷ヘッド２１の前端及びキャリッジ２０の前端よりも前に位置し、クランプ部６２Ｒの上流側の端は印刷ヘッド２１の後端及びキャリッジ２０の後端よりも後ろに位置する。そのため、印刷ヘッド２１の前後長及びキャリッジ２０の下方において、プラテン５１から記録媒体９の側部の浮き上がりを抑制できる。
なお、駆動ローラ４１及びピンチローラ４６からクランプ部６２Ｒの後端までの距離が短い程、プラテン５１から記録媒体９の浮き上がりの抑制効果が高くなる。
【００３７】
図４に示すように、クランプ部６１Ｒ及び連結部７１Ｒの搬送方向下流側の端部には、反り部６６Ｒが設けられている。反り部６６Ｒは、クランプ部６１Ｒ及び連結部７１Ｒに対して反り上がった状態に形成されている。そのため、図５に示すように、嵌合部７３Ｒがカッター溝５２に嵌合した状態では、反り部６６Ｒがプラテン５１の上面に対して傾斜している。クランプ部６１Ｒの搬送方向下流側において記録媒体９がプラテン５１から浮き上がった状態であっても、上流へ搬送される記録媒体９が反り部６６Ｒに対して摺動して、クランプ部６１Ｒに入り込む。つまり、この反り部６６Ｒは、上流へ搬送される記録媒体９をクランプ部６１Ｒとプラテン５１との間に誘導する。
同様にして記録媒体９を誘導すべく、クランプ部６１Ｒの搬送方向上流側の端部には反り部６７Ｒが設けられ、クランプ部６２Ｒ及び連結部７２Ｒの搬送方向上流側の端部には反り部６９Ｒが設けられ、クランプ部６２Ｒの搬送方向下流側の端部には反り部６８Ｒが設けられている。
【００３８】
〔３．押さえ具の使用方法（押さえ具の装着方法）〕
押さえ具６０Ｒ，６０Ｌの使用方法について説明する。
筐体１０内においてカッター溝５２を搬送方向に横切るように記録媒体９をプラテン５１上に載置する。ここで、記録媒体９の幅はカッター溝５２の左右方向の長さよりも短い。そのため、カッター溝５２の中央部を記録媒体９によって覆い、カッター溝５２の左右の部分を記録媒体９によって覆わずに露出させる。
【００３９】
次に、図４に示すように、記録媒体９の右側縁９ｅの上方に右の押さえ具６０Ｒを位置させて、右の押さえ具６０Ｒの姿勢を決める。具体的には、嵌合部７３Ｒの開口を上に向けて、クランプ部６１Ｒ及び連結部７１Ｒを搬送方向下流側に配し、クランプ部６２Ｒ及び連結部７２Ｒを搬送方向上流側に配する。
【００４０】
そして、クランプ部６１Ｒ，６２Ｒを記録媒体９の右側縁９ｅに被せるようにして押さえ具６０Ｒを下降させて、嵌合部７３Ｒを記録媒体９の右側縁９ｅの外側の位置においてカッター溝５２に嵌め込む。これにより、図５に示すように、クランプ部６１Ｒ，６２Ｒとプラテン５１との間に記録媒体９を挟む。この際、貫通孔６４Ｒ，６５Ｒ越しに記録媒体９の右側縁９ｅを視認して、貫通孔６４Ｒ，６５Ｒを記録媒体９の右側縁９ｅに重ねるようにして、記録媒体９をクランプ部６１Ｒによって押さえる。これにより、押さえ具６０Ｒの左右方向の位置を決めることができる。
【００４１】
以上のように嵌合部７３Ｒをカッター溝５２に嵌め込む際には、嵌合部７３Ｒの開口の幅Ｗ１が狭まるように嵌合部７３Ｒが弾性的に圧縮される。また、クランプ部６１Ｒ，６２Ｒ及び連結部７１Ｒ，７２Ｒがプラテン５１からの反力を受けて、連結部７１Ｒと連結部７２Ｒの挟む入角が１８０°に拡開する。更に、入角部７４Ｒ，７５Ｒが弾性的に拡開する。このような弾性力がクランプ部６１Ｒ，６２Ｒを記録媒体９及びプラテン５１に押し付ける力としてクランプ部６１Ｒ，６２Ｒに作用する。
【００４２】
左の押さえ具６０Ｌも同様にしてプラテン５１に装着して、押さえ具６０Ｌのクランプ部とプラテン５１との間に記録媒体９を挟む。
【００４３】
〔４．押さえ具の使用方法（押さえ具の取り外し方法）〕
嵌合部７３Ｒをカッター溝５２から上に抜き、クランプ部６１Ｒ，６２Ｒをプラテン５１から上方に引き上げれば、押さえ具６０Ｒをプラテン５１から取り外すことができる。具体的には、次のようにする。
【００４４】
まず、指先等を反り部６９Ｒに引っ掛けて反り部６９Ｒを引き上げることによって、嵌合部７３Ｒを支点にしてクランプ部６２Ｒ及び連結部７２Ｒを起こし上げる。そうすると、嵌合部７３Ｒはその開口が狭まるように弾性的に圧縮されるとともに、入角部７４Ｒ，７５Ｒが弾性的に拡開するので、嵌合部７３Ｒがカッター溝５２から上に抜ける。これにより、クランプ部６１Ｒ及び連結部７２Ｒをプラテン５１から上方へ離間させることができる。なお、指先等を反り部６６Ｒに引っ掛けて反り部６６Ｒを引き上げることによっても、嵌合部７３Ｒをカッター溝５２から簡単に抜き出すことができる。
【００４５】
左の押さえ具６０Ｌも同様にしてプラテン５１から取り外す。
【００４６】
〔５．効果〕
以上のような本発明の実施形態によれば、次のような効果が得られる。
（１）  クランプ部６２Ｒがカッター溝５２の搬送方向における上流側に配され、クランプ部６１Ｒがクランプ部６２Ｒから間隔を置いてカッター溝５２の搬送方向における下流側に配され、これらクランプ部６１Ｒ，６２Ｒが記録媒体９をプラテン５１に押さえている。従って、記録媒体９及びその右側縁９ｅがクランプ部６１Ｒ，６２Ｒの間の間隙６３Ｒにおいて露出し、記録媒体９のうちカッター溝５２に重なる部分はクランプ部６１Ｒ，６２Ｒに接触していない。そのため、下降したカッター２７がクランプ部６１Ｒ，６２Ｒの間の間隙６３Ｒを主走査方向に通過する際に記録媒体９の右側縁９ｅも通過する。よって、押さえ具６０Ｒによって押さえられた状態の記録媒体９を裁断することができる。
（２）  嵌合部７３Ｒが弾性変形した状態でカッター溝５２に嵌合するため、嵌合部７３Ｒがカッター溝５２の内面に押し付けられる。それゆえ、押さえ具６０Ｒをプラテン５１に固定することができるとともに、クランプ部６１Ｒ，６２Ｒが記録媒体９を押さえた状態を維持することができる。
（３）  嵌合部７３Ｒが記録媒体９の右側縁９ｅの外側においてカッター溝５２に嵌合するため、カッター２７が嵌合部７３Ｒまで移動せずとも、記録媒体９を裁断することができる。
【００４７】
（４）  嵌合部７３Ｒが凹状に形成されているので、押さえ具６０Ｒをプラテン５１に装着して記録媒体９を押さえた状態であっても、嵌合部７３Ｒの凹状の隙間にカッター２７を入り込むことでカッター２７が嵌合部７３Ｒまで移動できる。よって、カッター２７の可動範囲を広くとることができ、押さえ具６０Ｒによって押さえられた状態の記録媒体９を裁断することができる。
【００４８】
（５）  反り部６７Ｒ，６９Ｒがプラテン５１に対して反り上がっているので、記録媒体９がプラテン５１から浮き上がった状態であっても、下流側へ搬送される記録媒体９が反り部６７Ｒ，６９Ｒによって案内されて、クランプ部６１Ｒ，６２Ｒとプラテン５１との間に滑らかに誘導される。よって、プラテン５１から浮き上がった記録媒体９がクランプ部６１Ｒ，６２Ｒの搬送方向上流側の端部に引っ掛からず、記録媒体９を下流側へスムーズに搬送することができる。同様に、反り部６６Ｒ，６８Ｒの反り形状によって、記録媒体９を上流側へスムーズに搬送することができる。
【００４９】
（６）  拡開するように弾性変形した入角部７４Ｒ，７５Ｒの弾性力によって、記録媒体９を挟む力が向上する。これにより、プラテン５１から記録媒体９の浮き上がりを抑えることができる。
【００５０】
（７）  圧縮された嵌合部７３Ｒの弾性力によってクランプ部６１Ｒ，６２Ｒが記録媒体９を介してプラテン５１に押し付けられ、クランプ部６１Ｒ，６２Ｒとプラテン５１との間に記録媒体９を挟む力が生じる。
【００５１】
（８）  指等によって反り部６６Ｒ又は反り部６９Ｒを引き上げるだけで、押さえ具６０Ｒをプラテン５１から簡単に取り外すことができる。
【００５２】
（９）  押さえ具６０Ｒ，６０Ｌがプラテン５１に対して着脱可能に構成されているので、記録媒体９の幅に合わせて押さえ具６０Ｒ，６０Ｌの装着位置を定めることができる。つまり、記録媒体９の幅の広狭に関わらず、記録媒体９の左右の側部を押さえ具６０Ｒ，６０Ｌによって押さえることができる。
【００５３】
（１０）  押さえ具６０Ｒを取り付ける際に、貫通孔６４Ｒ，６５Ｒによって押さえ具６０Ｒの左右方向の位置を決めることができる。従って、クランプ部６１Ｒと記録媒体９が重なり合う範囲を適切に調整することができ、クランプ部６１Ｒに誤って印刷してしまうことを防止できる。
【００５４】
〔６．変形例〕
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以上の実施形態からの変更点について以下に説明する。以下に説明する変更点は、可能な限り組み合わせて適用してもよい。
【００５５】
（ａ）  上述の実施形態では、押さえ具６０Ｒ，６０Ｌが金属からなるが、押さえ具６０Ｒ，６０Ｌの材種を変更してもよい。例えば、押さえ具６０Ｒ，６０Ｌが樹脂、繊維強化樹脂又は複合材（例えば金属と樹脂の複合材）からなるものとしてもよい。
【００５６】
（ｂ）  上述の実施形態では、押さえ具６０Ｒが左右非対称な形状であり、記録媒体９の右側専用のものであった。それに対して、図７に示すように押さえ具６０Ｒを左右対称な形状として、記録媒体９の右側及び左側に兼用できるようにしてもよい。具体的には、連結部７１Ｒと面一となるように薄板状に形成されたクランプ部８１Ｒが、連結部７１Ｒを基準として、連結部７１Ｒからのクランプ部６１Ｒの延出方向とは反対側の方向に連結部７１Ｒから延出している。同様に、連結部７２Ｒと面一となるように薄板状に形成されたクランプ部８２Ｒが、連結部７２Ｒを基準として、連結部７２Ｒからのクランプ部６２Ｒの延出方向とは反対側の方向に連結部７２Ｒから延出している。クランプ部８１Ｒとクランプ部８２Ｒとの間には間隙８３Ｒが形成されている。反り部６６Ｒは、クランプ部６１Ｒ及び連結部７１Ｒの搬送方向下流側の端部のみならず、クランプ部８１Ｒの搬送方向下流側の端部にも及ぶよう、クランプ部６１Ｒ、連結部７１Ｒ及びクランプ部８１Ｒの搬送方向下流側の端部に形成されている。反り部６９Ｒは、クランプ部６２Ｒ及び連結部７２Ｒの搬送方向上流側の端部のみならず、クランプ部８２Ｒの搬送方向上流側の端部にも及ぶよう、クランプ部６２Ｒ、連結部７２Ｒ及びクランプ部８２Ｒの搬送方向下流側の端部に形成されている。クランプ部８１Ｒの搬送方向上流側の端部には、反り部８７Ｒが設けられている。この反り部８７Ｒは、クランプ部８１Ｒに反り上がった状態に形成されている。クランプ部８２Ｒの搬送方向下流側の端部には、反り部８８Ｒが設けられている。この反り部８８Ｒは、クランプ部８２Ｒに対して反り上がった状態に形成されている。
図７に示す押さえ具６０Ｒによって記録媒体９の左側部を押さえる場合には、クランプ部８１Ｒ，８２Ｒを記録媒体９の左側縁に被せるようにして押さえ具６０Ｒを下降させて、嵌合部７３Ｒを記録媒体９の左側縁の外側の位置においてカッター溝５２に嵌め込む。これにより、クランプ部８１Ｒ，８２Ｒとプラテン５１との間に記録媒体９を挟む。
【００５７】
（ｃ）  上述の実施形態では、印刷装置１が裁断機構２５を有していた。それに対して、印刷装置１が裁断機構２５を有さなくてもよい。この場合でも、カッター溝５２がプラテン５１に形成され、押さえ具６０Ｒ，６０Ｌをプラテン５１に装着することができる。
印刷装置１が裁断機構２５を有さなくても、ユーザーが手持ちのカッターを記録媒体９の上からカッター溝５２に差し込んで、そのカッターを押さえ具６０Ｒ，６０Ｌによって干渉されることなく左右に移動させることによって、記録媒体９を裁断することができる。
【００５８】
（ｄ）  上述の実施形態では、カッター溝５２が有底状であった。それに対して、カッター溝５２がプラテン５１を上下に貫通していてもよい。
【００５９】
（ｅ）  上述の実施形態では、記録媒体９を貫通したカッター２７の逃げ用のためにカッター溝５２が形成されていたが、カッター溝５２が他の用途にも利用されてもよい。例えば、記録媒体９を検出する媒体検出センサ（例えば、光学センサ）がカッター溝５２に設けられていてもよい。この場合、媒体検出センサは押さえ具６０Ｒの嵌合部７３Ｒに干渉しないように設けられている。
【００６０】
（ｆ）  上述の実施形態では、印刷機構部２がインクジェットプリンタ式の印刷機構部であったが、他の印刷方式（例えば、レーザープリンタ式若しくはＬＥＤプリンタ式等の感光式、熱転写式）の印刷機構部であってもよい。
【符号の説明】
【００６１】
１…印刷装置，  ２…印刷機構部，  ９…記録媒体，  ９ｅ…記録媒体の縁  ２７…カッター，  ５１…プラテン，  ５２…カッター溝，  ６０Ｒ…押さえ具，  ６１Ｒ…クランプ部，  ６２Ｒ…クランプ部，  ６３Ｒ…間隙，  ７０Ｒ…固定部材，  ７１Ｒ…連結部，  ７２Ｒ…連結部，  ７３Ｒ…嵌合部，  ６６Ｒ…反り部，  ６７Ｒ…反り部，  ６８Ｒ…反り部，  ６９Ｒ…反り部，  ６０Ｌ…押さえ具
【図１】
2018130880.tif 000003
【図２】
2018130880.tif 000004
【図３】
2018130880.tif 000005
【図４】
2018130880.tif 000006
【図５】
2018130880.tif 000007
【図６】
2018130880.tif 000008
【図７】
2018130880.tif 000009